(57)【要約】【課題】簡易な構成による映像表示装置を備える受信システムを提供する。【解決手段】アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えており、前記チューナ回路部と、前記デジタル回路部と、前記デジタル復調部と、前記映像音声出力回路とが１つの基板上に配置された受信装置とする。【選択図】図１
2007266673.tif 000002
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、が１枚の基板上に配置されていることを特徴とする受信装置。
【請求項２】
前記チューナ回路部からなるブロックのアナログアースパターンと、
前記デジタル回路部、前記デジタル復調部、および前記映像音声出力回路からなるブロックのデジタルアースパターンと、が前記基板上で分離されていることを特徴とする請求項１に記載の受信装置。
【請求項３】
前記基板は、シャーシ内に収められており、
前記アナログアースパターンと、前記デジタルアースパターンとが、該シャーシに電気的に接続されることを特徴とする請求項２に記載の受信装置。
【請求項４】
前記デジタル回路部が、
圧縮されたデジタル映像・音声信号を復調する映像音声処理ＩＣと、
圧縮されたデジタル映像・音声信号および復調したデジタル映像・音声信号を保存する映像音声処理用メモリと、を備え、
前記基板において、前記映像音声処理用メモリは、前記基板上に実装される前記チューナ回路部の位置と反対側の位置であって、前記映像音声処理ＩＣの実装されている面の裏面に配置されていることを特徴とする請求項１〜請求項３のいずれかに記載の受信装置。
【請求項５】
前記デジタル復調部が、ＩＦ信号をデジタル変換するための処理ＩＣであるデジタル復調ＩＣを備えており、
前記基板において、
前記デジタル復調ＩＣと前記映像音声処理ＩＣとが、同じ実装面の離れた位置に配置されていることを特徴とする請求項４に記載の受信装置。
【請求項６】
前記基板において、
前記デジタル復調ＩＣおよび前記映像音声処理ＩＣが、それぞれ熱伝導体を介してシャーシに接触される構成であることを特徴とする請求項５に記載の受信装置。
【請求項７】
前記基板が多層基板であって、前記映像音声処理ＩＣと前記映像音声処理用メモリとの間の配線を内層パターン配置することを特徴とする請求項４〜請求項６のいずれかに記載の受信装置。
【請求項８】
前記基板が多層基板であって、前記映像音声処理ＩＣと前記デジタル復調ＩＣとの間の配線を内層パターン配置することを特徴とする請求項５〜請求項７のいずれかに記載の受信装置。
【請求項９】
前記基板において、
前記チューナ回路部、前記デジタル復調部、前記デジタル回路部、前記映像音声出力回路それぞれの入出力端子を含むコネクタが、該基板上の一辺に配置されていることを特徴とする請求項１〜請求項８のいずれかに記載の受信装置。
【請求項１０】
前記コネクタにおいて、
前記映像音声出力回路の出力端子およびアース端子が前記チューナ回路部と反対側の位置に配置されていることを特徴とする請求項９に記載の受信装置。
【請求項１１】
前記コネクタにおいて、
前記チューナ回路部において変換された中間周波数信号を出力するＩＦ出力端子が、前記チューナ回路部側に配置されていることを特徴とする請求項９または請求項１０に記載の受信装置。
【請求項１２】
前記チューナ回路部、前記デジタル復調部、前記デジタル回路部、前記映像音声出力回路それぞれに電源を供給するための電源部を備えており、
前記コネクタにおいて、
前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置されていることを特徴とする請求項１１に記載の受信装置。
【請求項１３】
前記チューナ回路部からなるブロックと、前記デジタル回路部、前記デジタル復調部、および前記映像音声出力回路からなるブロックとが、第１のシールド板により分離されていることを特徴とする請求項１〜請求項１２のいずれかに記載の受信装置。
【請求項１４】
前記基板において、
前記デジタル復調部と前記デジタル回路部とが、第２のシールド板により分離されていることを特徴とする請求項１３に記載の受信装置。
【請求項１５】
デジタルおよびアナログ放送波を受信して、映像信号および音声信号に変換し、表示および出力する受信システムであって、
請求項１〜請求項１４のいずれかに記載の受信装置と、
前記受信装置から出力される映像信号に基づいて映像を表示し、あるいは音声信号に基づいて音声を出力する処理を行う映像表示装置と、を備える受信システム。
【発明の詳細な説明】
【技術分野】
【０００１】
本発明は、デジタルテレビジョン放送などの高周波信号を受信するための受信装置ならびに受信システムに関するものである。
【背景技術】
【０００２】
図４は従来例の受信システムの概略的構成を示すブロック図である。図４に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２３と、映像音声出力回路９２２から出力されるアナログの音声信号に基づいて音声を出力する処理を行う音声処理部９２４と、デジタル回路部９２１、映像音声出力回路９２２、表示処理部９２３および音声処理部９２４に動作用電源を与える電源部９２５と、を備える。また、デジタル回路部９２１は、圧縮されたデジタル信号から映像信号および音声信号を抽出するための映像音声処理ＩＣ９２８と、映像音声処理を行う際に一時的に処理データを格納する映像音声処理用メモリ９２６と、受信装置の制御コードを格納するプログラム用メモリ９２７とを備える。
【特許文献１】特開２０００−６８６７３号公報
【発明の開示】
【発明が解決しようとする課題】
【０００５】
このような従来構成の受信システム９００は、受信装置９０２を電磁的に遮蔽するためにシールドで覆う一方、映像表示装置９０３の基板上に映像音声処理ＩＣ９２８、映像音声処理用メモリ９２６、プログラム用メモリ９２７、映像音声出力回路９２２、表示処理部９２３、音声処理部９２４を実装しており、部品および配線数が多くなるため映像表示装置９０３の基板を多層基板にする必要があった。
【０００６】
また、映像表示装置９０３の基板上に実装される、映像音声処理ＩＣ９２８、映像音声処理用メモリ９２６、プログラム用メモリ９２７、映像音声出力回路９２２、表示処理部９２３、音声処理部９２４から発生する不要輻射やノイズ対策を映像表示装置９０３上で行う必要があり、これに伴ってシールドを追加する必要があった。
【０００７】
さらには、映像表示装置９０３の基板上に実装される、映像音声処理ＩＣ９２８、映像音声処理用メモリ９２６、プログラム用メモリ９２７、映像音声出力回路９２２、表示処理部９２３、音声処理部９２４からの発熱対策として、基板の面積を大きくしたり放熱板を追加する必要があった。
【０００８】
上記の問題点に鑑み、本発明は、簡易な構成による映像表示装置を備える受信システムを提供することを目的とする。
【課題を解決するための手段】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えており、前記チューナ回路部と、前記デジタル回路部と、前記デジタル復調部と、前記映像音声出力回路とが１つの基板上に配置されている構成（第１の構成）とする。
【００１０】
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。
【００１１】
また本構成では、チューナ回路部、デジタル回路部、デジタル復調部、および映像音声出力回路が１つの基板上に配置されているので、受信装置の構成を簡潔なものとすることができる。
【００１２】
また上記第１の構成において、前記チューナ回路部からなるブロックのアナログアースパターンと、前記デジタル回路部と、前記デジタル復調部と、前記映像音声出力回路からなるブロックのデジタルアースパターンとが前記基板上で分離されている構成（第２の構成）としても構わない。
【００１３】
また例えば、前記基板は、シャーシ内に収められており、前記アナログアースパターンと、前記デジタルアースパターンとが、該シャーシに電気的に接続される構成（第３の構成）としても構わない。
【００１４】
また、前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備え、前記基板において、前記映像音声処理用メモリを、前記基板上に実装される前記チューナ回路部の位置と反対側の位置に配線し、前記映像音声処理ＩＣの裏面に配置する構成（第４の構成）としても構わない。
【００１５】
これにより、従来構成では、デジタル回路部が映像表示装置に備えられていたため、映像音声処理ＩＣや映像音声処理用メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。また、映像音声処理用メモリから発声するデジタルノイズを基板上に配置されたチューナ回路部へ混入するのを防止して、チューナ回路部の性能劣化を防止する効果がある。
【００１６】
なおここでの「反対側の位置」とは、前記基板上における相対的な位置関係に係るものであり、該基板の略中央を境とした、反対側の位置であることを示す。
【００１７】
また、例えば、前記デジタル復調部が、ＩＦ信号をデジタル変換するための処理ＩＣであるデジタル復調ＩＣを備えており、前記基板において、前記デジタル復調ＩＣと前記映像音声処理ＩＣとが、同じ実装面の離れた位置に配置されている構成（第５の構成）としても構わない。
【００１８】
これにより、デジタル復調部が備えるデジタル復調ＩＣからの発熱と、デジタル回路部が備える映像音声処理ＩＣからの発熱とが分散される効果がある。
【００１９】
また、例えば、前記基板において、前記デジタル復調ＩＣおよび前記映像音声処理ＩＣが、それぞれ熱伝導体を介してシャーシに接触される構成（第６の構成）としても構わない。
【００２０】
これにより、デジタル復調ＩＣからの発熱や映像音声処理ＩＣからの発熱が熱伝導体を通じてシャーシあるいは基板を覆うフタに放熱することができ、基板上の発熱を抑える効果がある。
【００２１】
また、例えば、前記基板が多層基板であって、前記映像音声処理ＩＣと前記映像音声処理用メモリとの間の配線を内層パターン配置する構成（第７の構成）としても構わない。
【００２２】
これにより、映像音声処理用メモリから発生する不要輻射を抑制する効果がある。
【００２３】
また、例えば、前記基板が多層基板であって、前記映像音声処理ＩＣと前記デジタル復調ＩＣとの間の配線を内層パターン配置する構成（第８の構成）としても構わない。
【００２４】
これにより、デジタル復調ＩＣから発生する不要輻射を抑制する効果がある。
【００２５】
また例えば、前記基板において、前記チューナ回路部、前記デジタル復調部、前記デジタル回路部、前記映像音声出力回路それぞれの入出力端子を含むコネクタが、該基板上の一辺に配置されている構成（第９の構成）としても構わない。
【００２６】
また、例えば、前記コネクタにおいて、前記映像音声出力回路の出力端子およびアース端子が前記チューナ回路部と反対側の位置に配置されている構成（第１０の構成）としても構わない。
【００２７】
これにより、前記基板上のチューナ回路部から発生する高周波ノイズが映像音声出力回路に混入するのを防止する効果がある。なおここでの「反対側の位置」とは、前記コネクタにおける相対的な位置関係に係るものであり、該コネクタの略中央を境とした、反対側の位置であることを示す。
【００２８】
また、例えば、前記コネクタにおいて、前記チューナ回路部において変換された中間周波数信号を出力するＩＦ出力端子が、前記チューナ回路部側に配置されている構成（第１１の構成）としても構わない。
【００２９】
これにより、デジタル復調部あるいはデジタル回路部から発生するデジタルノイズが、チューナ回路部から出力される中間周波数信号に混入するのを防止する効果がある。なおここでの「チューナ回路部側」とは、前記コネクタにおける相対的な位置関係に係るものであり、該コネクタの略中央を境とした、チューナ回路部の存在する側を示す。
【００３０】
また、例えば、前記チューナ回路部、前記デジタル復調部、前記デジタル回路部、前記映像音声出力回路それぞれに電源を供給するための電源部を備えており、前記コネクタにおいて、前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置されている構成（第１２の構成）としても構わない。
【００３１】
また、例えば、前記チューナ回路部からなるブロックと、前記デジタル回路部と、前記デジタル復調部と、前記映像音声出力回路からなるブロックとが、第１のシールド板により分離されている構成（第１３の構成）としても構わない。
【００３２】
これにより、前記基板上のデジタル復調部やデジタル回路部から発生する電磁波がチューナ回路部に混入するのを防止する効果がある。
【００３３】
また、前記基板において、前記デジタル復調部と前記デジタル回路部とが、第２のシールド板により分離されている構成（第１４の構成）としても構わない。
【００３４】
これにより、デジタル回路部から発生する電磁波がデジタル復調部に混入するのを防止する効果がある。
【００３５】
また、本発明の受信システムは、デジタルおよびアナログ放送波を受信して、映像信号および音声信号に変換し、表示および出力する受信システムであって、上記の何れかの構成である受信装置と、前記受信装置から出力される映像信号に基づいて映像を表示し、あるいは音声信号に基づいて音声を出力する処理を行う映像表示装置と、を備える。
【発明の効果】
【００３６】
本発明の構成によれば、従来は映像表示装置に備えられていたデジタル回路部、映像音声出力回路を受信装置上に実装することで、映像表示装置を多層基板にすることなく、単層基板で実現することが可能となる。また、映像処理ＩＣについても映像表示装置上に実装しないため、このＩＣからの放熱対策を行う必要がなく、簡易な構成による映像表示装置によって受信システムを実現することが可能となる。
【００３７】
また本構成では、チューナ回路部、デジタル回路部、デジタル復調部、および映像音声出力回路が１つの基板上に配置されているので、受信装置の構成を簡潔なものとすることができる。
【発明を実施するための最良の形態】
【００３８】
本発明の受信システムの構成について、図面を参照して説明する。図１は、本発明の受信システムの概略的構成を示すブロック図である。
【００３９】
図１に示される受信システム１は、高周波信号を受信するアンテナ２と、アンテナ２で受信された信号に所定の処理を施して映像信号と音声信号を取得するための受信装置３と、受信装置３から与えられる映像信号に基づいて映像を表示し、あるいは音声信号に基づいて音声を出力する処理を行う映像表示装置４とで構成される。
【００４０】
受信装置３は、アンテナ２で受信された高周波信号を中間周波数信号（以下、「ＩＦ信号」と称する）に変換するチューナ回路部１１と、チューナ回路部１１から出力されるＩＦ信号を圧縮されたデジタル信号に変換するデジタル復調部１２と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４に動作用電源を与える電源部１５と、を備える。
【００４１】
なお、デジタル復調部１２は、ＩＦ信号をデジタル変換するための処理ＩＣであるデジタル復調ＩＣ２１を備える。また、デジタル回路部１３は、圧縮されたデジタル信号から映像信号および音声信号を抽出するための映像音声処理ＩＣ２４と、圧縮されたデジタルの映像信号、音声信号および復調したデジタルの映像信号、音声信号を保存する映像音声処理用メモリ２２と、受信装置の制御コードを格納するプログラム用メモリ２３とを備える。
【００４２】
映像表示装置４は、受信装置３から与えられるアナログの映像信号に基づいて映像を表示する処理を行う表示処理部３１と、アナログの音声信号に基づいて音声を出力する処理を行う音声処理部３２と、表示処理部３１および音声処理部３２に動作用電源を与える電源部３３と、を備える。
【００４３】
図２および図３は、図１における受信装置２の実装を示す模式図である。図２は、受信装置２を一方の面（表面）から見た状態を示しており、図３は、受信装置２を他方の面（裏面）から見た状態を示している。
【００４４】
基板５０のチューナ入力端子５３が取り付けられた側には、チューナ回路部１１が実装されている。また基板５０はシャーシ内に収められており、チューナ回路部１１部のアナログアースパターンがシャーシに電気的に接続される。また基板５０は、アンテナ２で受信された高周波信号が、チューナ入力端子５３よりチューナ回路部１１に入力される構成である。なお、このシャーシには、表面、裏面にそれぞれフタが取り付けられており、基板５０が、シールドで覆われている。
【００４５】
また基板５０上のチューナ回路部１１の、チューナ入力端子５３が設置される辺と反対側の辺に、デジタル復調部１２と、デジタル回路部１３と、映像音声出力回路１４と、電源部１５とが実装されている。チューナ回路部１１からなるブロックと、デジタル復調部１２、デジタル回路部１３、映像音声出力回路１４、および電源部１５からなるブロックとの間は、そこに設けられた第１のシールド板５１によって電磁的に遮蔽されている。
【００４６】
また基板５０の一辺にはコネクタ５４が設けられている。このコネクタ５４により、基板５０に実装されているチューナ回路部１１、デジタル復調部１２、デジタル回路部１３、映像音声出力回路１４、および電源部１５に関わる入出力端子がそれぞれ配線されている。
【００４７】
また、コネクタ５４の端子のうち、チューナ回路部１１寄りの端子にはチューナ回路１１のＩＦ出力端子が配置されており、このＩＦ出力端子からＩＦ信号が出力される。一方、コネクタ５４のうち、チューナ回路部１１から離れた位置（反対側の位置）の端子には映像音声出力回路１４の出力端子およびそのアース端子が配置されている。
【００４８】
また、デジタル復調部１２とデジタル回路部１３とは第２のシールド板５２によって電磁的に遮蔽されている。一方で、基板５０に多層基板を採用するとともに、デジタル復調部１２に備えられるデジタル復調ＩＣ２１と、デジタル回路部１３に備えられる映像音声処理ＩＣ２４とを電気的に接続する配線が内層パターン配置されている。これらの両ＩＣは、基板５０の同一面の離れた位置にそれぞれ実装される。また、デジタル復調ＩＣ２１および映像音声処理ＩＣ２４は、それぞれのＩＣパッケージが熱伝導体を介してシャーシと接触している。
【００４９】
デジタル回路部１３は、一方の面（表面）に映像音声処理ＩＣ２４が実装され、他方の面（裏面）に映像音声処理用メモリ２２およびプログラム用メモリ２３が実装される構成である。そして、映像音声処理ＩＣ２４と、映像処理用メモリ２２およびプログラム用メモリ２３との間を電気的に接続する配線が内層パターン配置されている。なお図３に示すとおり、基板５０において、映像音声処理用メモリ２２は、チューナ回路部１１の反対側の位置に設けられている。
【００５０】
そして、チューナ回路部１１、デジタル復調部１２、デジタル回路部１３、映像音声出力回路１４それぞれの電源端子が、コネクタ５４内の、映像音声出力回路１４の出力端子とチューナ回路部１１のＩＦ出力端子との間に配置されている。
【００５１】
このように構成されるとき、受信装置３の基板上に、デジタル回路部１３と映像音声出力回路１４とを実装することで、映像表示装置４は、受信装置３から入力される映像信号を表示する表示処理部３１と音声信号を音声出力する音声処理部３２を備えるのみでよく、多層基板にする必要がない。
【００５２】
また従来構成では、デジタル回路部が映像表示装置に備えられていたため、映像音声処理ＩＣや映像音声処理用メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。
【００５３】
また、受信装置３の基板上に実装されるデジタル復調ＩＣ２１および映像音声処理ＩＣ２４は、それぞれ熱伝導体を介してシャーシに接続させることで、ＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００５４】
また受信装置内で、基板上に実装されたアナログ回路（チューナ回路部１１）からなるブロックと、デジタル回路（デジタル回路部１３、デジタル復調部１２、映像音声出力回路１４）からなるブロックとは、アースパターンが分離されている。これによってデジタル復調部１２やデジタル回路部１３から発生されるデジタルノイズがチューナ回路部１１に混入するのを防止し、チューナ回路部１１の性能劣化を極力回避し得る。
【００５５】
また、アナログアースパターンとデジタルアースパターンを、それぞれシャーシに電気的に接続する構成とすることで、アナログ回路からなるブロックと、デジタル回路からなるブロックにアース接続を行う必要がない。さらにこれによって、アナログアース間とデジタルアース間のインピーダンスを抑制する効果もある。
【００５６】
また、コネクタ５４が基板の一辺に実装され、このコネクタ５４によって、チューナ回路部１１の入出力端子の他、デジタル復調部１２、デジタル回路部１３、映像音声出力回路１４、電源部１５に関わる入出力端子がそれぞれ配線されることで、映像表示装置側の配線設計が容易になる。
【００５７】
そして、コネクタ５４の端子のうち、チューナ回路部１１寄りの端子にはチューナ回路部１１のＩＦ出力端子が配置されており、このＩＦ出力端子からＩＦ信号が出力される。一方、コネクタ５４のうち、チューナ回路部１１から離れた位置の端子には映像音声出力回路１４の出力端子およびそのアース端子が配置されている。
【００５８】
このようにチューナ回路部の出力端子と映像音声出力回路の出力端子とを離して実装することで、チューナ回路部から発生する高周波ノイズが映像音声出力回路に混入するのを抑制する効果がある。また、逆に同じ基板上に実装されるデジタル復調部およびデジタル回路部から発生するデジタルノイズがチューナ回路部から出力されるＩＦ信号に混入するのを抑制する効果がある。
【００５９】
またチューナ回路部１１を、デジタル復調部１２、デジタル回路部１３、映像音声出力回路１４、および電源部１５から、第１のシールド板５１によって分離する構成とすることで、同じ基板に実装されるデジタル復調部およびデジタル回路部から発生する電磁波が、チューナ回路部に混入するのを抑制する効果がある。
【００６０】
さらに、デジタル復調部１２とデジタル回路部１３とを第２のシールド板５２で分離する構成とすることで、デジタル回路部から発生する電磁波がデジタル復調部に混入するのを抑制する効果がある。
【００６１】
また、デジタル復調部のデジタル復調ＩＣと、デジタル回路部の映像音声処理ＩＣを同じ実装面の離れた位置に配置することで、デジタル復調ＩＣの発熱と映像音声処理ＩＣの発熱とを分散する効果がある。さらに、これらの各ＩＣパッケージを、熱伝導体を介してシャーシと接触させることで、シャーシやフタに放熱することができ、これによって発熱を抑制する効果がある。
【産業上の利用可能性】
【００６２】
本発明の受信システムは、デジタルテレビジョン放送などを受信して受信映像を表示する受信システムに対して好適に利用され得る。
【図面の簡単な説明】
【００６３】
【図１】本発明の受信システムの概略的構成を示すブロック図である。
【図２】図１における受信装置２の実装（表面）を示す模式図である。
【図３】図１における受信装置２の実装（裏面）を示す模式図である。
【図４】従来構成の受信システムの概略的構成を示すブロック図である。
【符号の説明】
【００６４】
１    受信システム
２    アンテナ
３    受信装置
４    映像表示装置
１１    チューナ回路部
１２    デジタル復調部
１３    デジタル回路部
１４    映像音声出力回路
１５    電源部
２１    デジタル復調ＩＣ
２２    映像音声処理用メモリ
２３    プログラム用メモリ
２４    映像音声処理ＩＣ
３１    表示処理部
３２    音声処理部
３３    電源部
５０    基板
５１    第１のシールド板
５２    第２のシールド板
５３    チューナ入力端子
５４    コネクタ
９００    受信システム
９０１    アンテナ
９０２    受信装置
９０３    映像表示装置
９１１    チューナ回路部
９１２    デジタル復調部
９１４    デジタル復調ＩＣ
９２１    デジタル回路部
９２２    映像音声出力回路
９２３    音声処理部
９２４    表示処理部
９２５    電源部
９２６    映像音声処理用メモリ
９２７    プログラム用メモリ
９２８    映像音声処理ＩＣ
【図２】
2007266673.tif 000003
【図３】
2007266673.tif 000004
【図４】
2007266673.tif 000005
【図１】
2007266673.tif 000006